(57)【要約】      （修正有）【課題】軽量かつ堅牢で、単管の接続作業を効率よく行うことができる単管の接続治具を提供する。【解決手段】接続治具は、内径が単管を挿通可能に構成された円筒状の第１部材１０と、内径が単管の一端を挿入可能に構成された円筒状の２つの第２部材３０とを備えている。立設された単管Ｐ１に第１部材１０を挿通し、所定の位置に配置、固定し、続いて、単管Ｐ２、Ｐ３の一端をそれぞれ第２部材３０に挿入し、第１部材１０の外周面に当接した位置に位置決めし、固定することにより、単管Ｐ１に対してそれぞれ垂直方向に単管Ｐ２及び単管Ｐ３を接続できる。【選択図】図３
0003225550.tif 000002
【実用新案登録請求の範囲】
【請求項１】
外形が円柱状の建築用部材を接続する接続治具であって、
内径が単管を挿通可能に構成された円筒状の第１の部材と、
前記第１の部材の外周面に一端が溶接して取り付けられ、内径が単管の一端を挿入可能に構成された円筒状の第２の部材と、
を備え、
前記第２の部材は、その中心軸線が前記第１の部材の中心軸線と互いに垂直となるように配置されており、
前記第１の部材及び第２の部材には、外周面から内周面に貫通し、ボルト等により単管を固定するためのネジ孔をそれぞれ形成されていることを特徴とする接続治具。
【請求項２】
前記第２の部材を複数個備えたことを特徴とする請求項１に記載の接続治具。
【請求項３】
隣接する第２の部材が溶接されて取り付けられていることを特徴とする請求項１または請求項２に記載の接続治具。
【請求項４】
前記第１の部材は、前記第２の部材の内径より長く、前記第２の部材の外径より短く形成されていることを特徴とする請求項１ないし請求項３のいずれか１つに記載の接続治具。
【考案の詳細な説明】
【技術分野】
【０００１】
本考案は、単管、杭などの外形が円柱状の建築用部材を接続する接続治具に関する。
【背景技術】
【０００２】
従来より、単管、杭などの外形が円柱状の建築用部材を接続し、足場を組んだり、フェンスやパネルの設置など行う際に、例えば、特許文献１などに開示されているようなクランプ金具が用いられてきた。  
【先行技術文献】
【特許文献】
【０００３】
【特許文献１】特開平８−１２８１９４号公報
【考案の概要】
【考案が解決しようとする課題】
【０００４】
上述したようなクランプ式の接続治具は、構造が複雑であり、単管の接続部に交差する部位が生じる。また、一方のクランプを単管に固定した後に、他方の回転するクランプにより接続する単管を固定するため、位置決めが困難であり、接続作業に時間がかかる。
【０００５】
また、あらかじめ単管の接続方向が決まっている一体的に形成された鋳物製の接続治具もあるが、重量が大きいいため作業の負荷が大きく、落下したときに危険である。また、鋳物であるのでもろく、落下、他部材との衝突により破損しやすいという問題もあった。
【０００６】
そこで、本考案は、軽量かつ強固で、単管等の接続作業を効率よく行うことができる単管の接続治具を提供することを目的とする。
【課題を解決するための手段】
【０００７】
上記目的を達成するために、請求項１に記載の考案では、外形が円柱状の建築用部材を接続する接続治具であって、内径が単管を挿通可能に構成された円筒状の第１の部材と、前記第１の部材の外周面に一端が溶接して取り付けられ、内径が単管の一端を挿入可能に構成された円筒状の第２の部材と、を備え、前記第２の部材は、その中心軸線が前記第１の部材の中心軸線と互いに垂直となるように配置されており、前記第１の部材及び第２の部材には、外周面から内周面に貫通し、ボルト等により単管を固定するためのネジ孔をそれぞれ形成されている、という技術的手段を用いる。
【０００８】
請求項２に記載の考案では、請求項１に記載の接続治具において、前記第２の部材を複数個備えた、という技術的手段を用いる。
【０００９】
請求項３に記載の考案では、請求項１または請求項２に記載の接続治具において、隣接する第２の部材が溶接されて取り付けられている、という技術的手段を用いる。
【００１０】
請求項４に記載の考案では、請求項１ないし請求項３のいずれか１つに記載の接続治具において、前記第１の部材は、前記第２の部材の内径より長く、前記第２の部材の外径より短く形成されている、という技術的手段を用いる。
【考案の効果】
【００１１】
本考案の接続治具は、円筒状の第１の部材と円筒状の第２の部材とを組み合わせて構成されており、簡単な構造で軽量かつ強固な接続治具とすることができる。また、例えば、立設された杭や単管等を第１部材に挿通し、所定の位置に配置、固定した後に、接続する単管等の一端をそれぞれ第２の部材に挿入し、第１の部材の外周面に突き当てるだけで位置決めが可能であるので、単管に対して所定の方向に他の単管を効率よく接続することができる。
【図面の簡単な説明】
【００１２】
【図１】本考案の接続治具の斜視図である。
【図２】接続治具の構造を示す説明図である。図２（Ａ）は上面図、図２（Ｂ）は側面図である。
【図３】接続治具による単管の接続方法を示す斜視図である。
【図４】接続治具の変更例を示す斜視図である。
【考案を実施するための形態】
【００１３】
（接続治具の構造）
本考案の接続治具について、図１、２を参照して説明する。本考案の接続治具は、外形が円柱状の単管や杭などの建築用部材を接続するものであるが、本実施形態では、同じ径の単管を、互いに垂直に接続する場合を例に説明する。
【００１４】
接続治具１は、内径が単管を挿通可能に構成された円筒状の第１部材１０と、内径が単管の一端を挿入可能に構成された円筒状の２つの第２部材２０、３０と、を備えている。
【００１５】
ここで、第１部材１０の内径、第２部材２０の内径Ｎ２及び第２部材３０の内径Ｎ３は略同一であり、第１部材１０の外径、第２部材２０の外径Ｇ２及び第２部材３０の外径Ｇ３は略同一である。
【００１６】
また、第１部材１０の長さＬは、第２部材２０、３０の内径Ｎ２、Ｎ３よりも長く、第２部材２０、３０の外径Ｇ２、Ｇ３よりも短くなるように形成されている。
【００１７】
第１部材１０の中心軸線Ｌ１、第２部材２０の中心軸線Ｌ２及び第２部材３０の中心軸線Ｌ３は互いに垂直となるように配置されている。
【００１８】
第２部材２０、３０は、第１部材１０の外周面１１に、一端２１、３１がそれぞれ溶接して取り付けられている。図中のＭが溶接部である。本実施形態では、隣接する第２部材２０及び第２部材３０も溶接されて取り付けられている。
【００１９】
接続治具１は、第１部材１０と、第２部材２０、３０と、を溶接するだけでも十分な構造体強度を発現するが、第２部材２０と、第２部材３０と、を溶接して取り付けることにより更に強度を向上させることができる。
【００２０】
また、第１部材１０の長さＬは、第２部材２０、３０の内径Ｎ２、Ｎ３よりも長く、第２部材２０、３０の外径Ｇ２、Ｇ３よりも短くなるように形成することにより、第１部材１０と第２部材２０、３０との段差部を形成することができる。この段差部で肉盛溶接を行うことにより、より強度が高い接続治具とすることができる。
【００２１】
第１部材１０には、外周面１１から内周面１２に貫通し、ボルトやセットビス等により単管を固定するためのネジ孔１３が形成されている。また、第２の部材２０、３０にも、外周面から内周面に貫通し、ボルト等により単管を固定するためのネジ孔２２、３２がそれぞれ形成されている。
【００２２】
（単管の接続方法）
接続治具１を用いて単管を接続する方法を以下に示す。図３は３本の単管が接続治具１により接続された状態である。ここでは、地面に立設された単管Ｐ１に、単管Ｐ２、Ｐ３を接続する場合を例に説明するが、単管を接続する状況、用途等はこれに限定されるものではない。
【００２３】
まず、立設された単管Ｐ１に第１部材１０が挿通される。第１部材１０は、所定の位置に配置された後に、ネジ孔１３からボルトＢにより単管Ｐ１を締め付けて固定される。
【００２４】
次に、単管Ｐ２の一端を第２部材２０に挿入する。単管Ｐ２の一端は、第１部材１０の外周面１１に当接した位置に位置決めされる。そして、ネジ孔２２からボルトＢにより単管Ｐ２を締め付けて固定する。
【００２５】
同様に、単管Ｐ３の一端を第２部材３０に挿入する。単管Ｐ３の一端は、第１部材１０の外周面１１に当接した位置に位置決めされる。そして、ネジ孔３２からボルトＢにより単管Ｐ３を締め付けて固定する。
【００２６】
上述した簡単な工程により、単管Ｐ１に対してそれぞれ垂直方向に単管Ｐ２及び単管Ｐ３を接続することができる。
【００２７】
（変更例）
本実施形態では、第２部材を２個用いたが、これに限定されるものではなく、１個でもよいし３個以上用いることもできる。
【００２８】
第２部材同士がなす角（中心軸線Ｌ２、Ｌ３がなす角）は任意に設定することができる。
【００２９】
第１部材の内径Ｒ１、第２部材２０の内径Ｒ２、第２部材３０の内径Ｒ３は、異なるものとすることができる。
【００３０】
図４に示すように、第１部材１０の一方の開口部を封じて、キャスター４０等を取り付けることもできる。
【００３１】
（実施形態の効果）
本考案の単管の接続治具１によれば、円筒状の第１部材１０と円筒状の２つの第２部材２０、３０とを組み合わせて構成されており、簡単な構造で軽量かつ強固な接続治具とすることができる。また、立設された単管Ｐ１に第１部材１０を挿通し、所定の位置に配置、固定した後に、単管Ｐ２、Ｐ３の一端をそれぞれ第２部材２０、３０に挿入し、第１部材１０の外周面１１に突き当てるだけで位置決めが可能であるので、単管Ｐ１に対してそれぞれ所定の方向に単管Ｐ２及び単管Ｐ３を効率よく接続することができる。
【符号の説明】
【００３２】
１…接続治具
１０…第１部材
１１…外周面
１２…内周面
１３…ネジ孔
２０…第２部材
２１…一端
２２…ネジ孔
３０…第２部材
３１…一端
３２…ネジ孔
４０…キャスター
Ｐ１、Ｐ２、Ｐ３…単管
【図１】
0003225550.tif 000003
【図２】
0003225550.tif 000004
【図３】
0003225550.tif 000005
【図４】
0003225550.tif 000006